(57)【要約】【課題】汚れの付着しやすい封水水位近傍を超音波洗浄により洗浄することができると共に、汚れが残存してしまう範囲を使用者が簡易に清掃可能な網かご収納部内にコントロールできる排水装置を提供する。【解決手段】本発明の排水装置は、網かご収納部１２と、封水形成部を備えた本体部１０と、本体部内に流入する水により、本体部内の水位が封水形成部内の封水水位Ｗ０から封水形成部内の封水水位より高い超音波洗浄水位Ｗ２までは上昇しやすくなるように形成されている流量調整部２６であって、流量調整部は、超音波洗浄水位Ｗ２が網かご収納部１２内に位置し且つ網かご収納部１２の入口部よりも下方側に位置するように形成される、水位調整部２６とを備える。【選択図】図５
2020176480.tif 000002
【特許請求の範囲】
【請求項１】
キッチンの水受け部の底部に設けられる排水装置であって、
上記水受け部よりも下流側に設けられ、内側に網かごが配置される網かご収納部と、
上記網かご収納部よりも下流側に設けられると共に封水を形成する封水形成部と、を備えた本体部と、
上記網かごと、
上記本体部内の水に超音波を発振する超音波発振器と、
上記本体部内に流入する水により、上記本体部内の水位が上記封水形成部内の封水水位から上記封水形成部内の上記封水水位より高い超音波洗浄水位までは上昇しやすくなるように形成されている水位調整部であって、上記水位調整部は上記超音波洗浄水位が上記網かご収納部内に位置し且つ上記網かご収納部の入口部よりも下方側に位置するように形成される、上記水位調整部と、を備えることを特徴とする排水装置。
【請求項２】
上記水位調整部は、上記超音波洗浄水位が上記網かご収納部内に配置された状態となっている上記網かごの底部よりも下方側に位置するように形成される、請求項１に記載の排水装置。
【請求項３】
さらに、上記網かご収納部の底部に形成される汚れ捕捉部であって、上記汚れ捕捉部は水位が低下する時に汚れが上記汚れ捕捉部の表面上に付着しやすくなるように形成されている、上記汚れ捕捉部を備える、請求項１又は２に記載の排水装置。
【請求項４】
上記汚れ捕捉部は、上記本体部の側壁から内向きに延びる縁部を備える、請求項３に記載の排水装置。
【請求項５】
上記網かごは、上記網かごが上記網かご収納部内に配置された状態において、その底部が下向きに突出するように湾曲されている、請求項４に記載の排水装置。
【請求項６】
上記汚れ捕捉部は、さらに、上記縁部の内側において複数の開口を形成する内側捕捉部を備え、
上記水位調整部は、上記超音波洗浄水位が上記汚れ捕捉部以上の位置となるように形成される、請求項４又は５に記載の排水装置。
【請求項７】
上記縁部は、内側に向けて下方に傾斜する傾斜部を備え、
上記水位調整部は、上記超音波洗浄水位が上記傾斜部上の位置となるように形成される、請求項４乃至６の何れか１項に記載の排水装置。
【請求項８】
上記本体部の上記封水水位の位置の内壁面に、金属部材が配置される、請求項１乃至７の何れか１項に記載の排水システム。
【発明の詳細な説明】
【技術分野】
【０００１】
本発明は、排水装置に係り、特に、キッチンの水受け部の底部に設けられる排水装置に関する。
【背景技術】
【０００２】
従来、特許文献１に示すように、シンクの底面に設けられ且つ超音波発信器を備えている排水装置が知られている。このような排水装置においては、超音波洗浄により排水部全体を洗浄することを基本思想としており、排水部全体を超音波洗浄するため、排水部の上部まで水を貯めた状態で超音波洗浄が行われ、排水部内の汚れが洗浄される。
【先行技術文献】
【特許文献】
【０００３】
【特許文献１】特開２００４−３２４１０８号公報
【発明の概要】
【発明が解決しようとする課題】
【０００４】
しかしながら、本発明の発明者は、排水装置において超音波洗浄を実現すべく鋭意研究を行ってきたところ、特許文献１に示すような従来の排水装置では、油汚れのように水面に浮いた状態となりやすい汚れや、超音波洗浄開始後に本体部内に流入する汚れは、単に超音波洗浄を実施するのみでは、水面に残りやすく、本体部内から除去しにくいという新たな課題を発見した。
【０００５】
そこで、本発明は、上述した従来技術の問題点を解決するためになされたものであり、汚れの付着しやすい封水水位近傍を超音波洗浄により洗浄することができると共に、仮に超音波洗浄により除去しにくい一部の汚れが本体部内に残る場合には、汚れが残存してしまう範囲を使用者が簡易に清掃可能な網かご収納部内にコントロールできる排水装置を提供することを目的としている。
【課題を解決するための手段】
【０００６】
上述した課題を解決するために、本発明は、キッチンの水受け部の底部に設けられる排水装置であって、上記水受け部よりも下流側に設けられ、内側に網かごが配置される網かご収納部と、上記網かご収納部よりも下流側に設けられると共に封水を形成する封水形成部と、を備えた本体部と、上記網かごと、上記本体部内の水に超音波を発振する超音波発振器と、上記本体部内に流入する水により、上記本体部内の水位が上記封水形成部内の封水水位から上記封水形成部内の封水水位より高い超音波洗浄水位までは上昇しやすくなるように形成されている水位調整部であって、上記水位調整部は上記超音波洗浄水位が上記網かご収納部内に位置し且つ上記網かご収納部の入口部よりも下方側に位置するように形成される、上記水位調整部とを備えることを特徴としている。
本発明者は、従来のような超音波洗浄により単に本体部全体を洗浄して清掃しようとする観点とは異なり、本体部内において主に超音波洗浄により洗浄する超音波洗浄領域と、主に使用者により清掃させるため使用者の清掃を容易にしている使用者清掃領域である網かご収納部とを区分する観点（技術思想）を検討した。上述のような構成は、本発明者が、このような新たな観点（技術思想）の検討に基づいて、水位調整部により本体部内の水位をコントロールすることにより、超音波洗浄領域においては超音波洗浄により洗浄すると共に、超音波洗浄により除去しにくい一部の汚れが本体部内に残るとしてもこの汚れを使用者清掃領域に残し使用者の清掃を容易にさせることで、排水装置の本体部内の汚れを効果的に減らしやすくでき且つ使用者の掃除の手間を低減させることができるという新しい知見を得たことに基づいている。
このように構成された本発明においては、水位調整部は、本体部内に流入する水により、本体部内の水位を、水面に浮遊する汚れが本体部内の壁面に付着して固化しやすい封水水位より高い超音波洗浄水位まで上昇させることができる。よって、汚れの付着しやすい封水水位近傍が浸水された状態で超音波洗浄が行われることができ、汚れの付着しやすい封水水位近傍を使用者が手清掃しなくとも超音波洗浄により洗浄することができる。また例えば、本体部内の封水水位が網かご収納部より下流側の使用者が清掃しにくいような位置に位置したとしても、汚れの付着しやすい封水水位近傍を超音波洗浄により洗浄することができ、封水水位近傍を清掃する頻度及び手間を低減できる。
さらに、上述のような構造によれば、水位調整部が本体部内に流入する水により、本体部内の水位が封水水位より高い超音波洗浄水位までは上昇しやすくなるように形成されている。このとき、水位調整部は上記超音波洗浄水位が上記網かご収納部内に位置し且つ上記網かご収納部の入口部よりも下方側に位置するように形成される。このように、本体部内の水位を網かご収納部内の位置まで上昇させる際に、水位を網かご収納部の最も高い部分となる入口部にまで上昇させることはせず、網かご収納部の入口部よりも下方側の位置に上昇をとどめている。これにより、水位が上昇して超音波洗浄が行われた後に水位が低下する時に、仮に超音波洗浄により除去しにくい一部の汚れが本体部内に残るとしても、例えば水面上に浮いた状態となる汚れが本体部壁面に付着して壁面に残存してしまう範囲を抑制すると共に、このように汚れが残存してしまう範囲を使用者が簡易に清掃可能な網かご収納部内にコントロールできる。
よって、本構造によれば、汚れの付着しやすい封水水位近傍及び使用者が簡易に清掃しにくい本体部の網かご収納部より下流側の部分を超音波洗浄により洗浄することができると共に、仮に超音波洗浄により除去しにくい（例えば超音波洗浄後に水に浮いた状態となる）一部の汚れが本体部内に残る場合には、汚れが本体部壁面に付着して壁面に残存してしまう範囲を抑制すると共にこのように汚れが残存してしまう範囲を使用者が簡易に清掃可能な網かご収納部内にコントロールできる。
【０００７】
本発明において、好ましくは、上記水位調整部は上記超音波洗浄水位が上記網かご収納部内に配置された状態となっている上記網かごの底部よりも下方側に位置するように形成される。
仮に超音波洗浄水位が網かごの底部よりも上方側に位置する場合には、網かごの底部が浸水しやすくなり、網かご及び網かごに収集された雑芥に水面上に浮いた状態となる汚れが付着する。これにより網かごに収集された雑芥を網かごから捨てる際に、雑芥が網かごから離れにくくなる恐れがあり、使用者が網かごを清掃しにくくなる恐れがある。これに対し、このように構成された本発明においては、水位調整部は上記超音波洗浄水位が上記網かご収納部内に配置された状態となっている上記網かごの底部よりも下方側に位置するように形成される。よって、網かごの底部が浸水しにくくなるので、網かごの清掃性の低下が抑制できる。さらに、汚れの付着しやすい封水水位近傍及び使用者が簡易に清掃しにくい本体部の網かご収納部より下流側の部分を超音波洗浄により洗浄することができると共に、仮に超音波洗浄のみでは清掃しきれない一部の汚れが本体部内に残る場合には、汚れが本体部壁面に付着して壁面に残存してしまう範囲を網かごの底部よりも下方側の比較的狭い範囲に抑制すると共にこのように汚れが残存してしまう範囲を使用者が簡易に清掃可能な網かご収納部内の網かごの底部よりも下方側の部分にコントロールできる。
【０００８】
本発明において、好ましくは、さらに、上記網かご収納部の底部に形成される汚れ捕捉部であって、上記汚れ捕捉部は水位が低下する時に汚れが上記汚れ捕捉部の上記表面上に付着しやすくなるように形成されている。
このように構成された本発明においては、超音波洗浄により除去しにくい一部の汚れを、水位が低下する時に汚れ捕捉部の表面上に付着させることができる。よって、使用者が汚れを認識しやすく且つ使用者の手指が届きやすい網かご収納部の底部に形成された汚れ捕捉部に少なくとも一部の汚れを付着させるようにでき、使用者がより簡易に清掃できる。
また、本構造によれば、汚れ捕捉部が網かご収納部の底部に形成され、超音波洗浄水位より下方に位置するので、汚れ捕捉部に付着した汚れは、次回以降に本体部内の水位が超音波洗浄水位近傍まで上昇するときに、超音波洗浄により洗浄される。よって、汚れの付着しやすい汚れ捕捉部を超音波洗浄により自動的に洗浄することができ、使用者が汚れ捕捉部を清掃する頻度及び手間を低減できる。
【０００９】
本発明において、好ましくは、上記汚れ捕捉部は、上記本体部の側壁から内向きに延びる縁部を備える。
このように構成された本発明においては、汚れ捕捉部より上方に配置される網かごを通過した水は、網かごの中心側に縮流した流れを形成しやすい。このような流れが中心側から水面上に流下する場合、水面に浮いた状態の汚れは、側壁側に移動されやすい。また、一旦側壁側に寄った汚れは、表面張力等により側壁側に沿った状態となり、中央側に戻りにくい。本構造によれば、汚れ捕捉部は、上記本体部の側壁から内向きに延びる縁部を備えるので、側壁側に移動された水面に浮いた状態の汚れを縁部に付着させやすくできる。よって、汚れ捕捉部が縁部を備えているので、使用者が比較的清掃しやすい縁部に汚れを付着させることができ、水位低下時に汚れ捕捉部の下流側に流出する汚れを低減できる。そのため、汚れ捕捉部の下流側の本体部の壁面に汚れが残ることを抑制できる。これにより、排水装置全体における汚れを効率的に減少させることができる。
【００１０】
本発明において、好ましくは、上記網かごは、上記網かごが上記網かご収納部内に配置された状態において、その底部が下向きに突出するように湾曲されている。
このように構成された本発明においては、網かごは、網かごが網かご収納部内に配置された状態において、その底部が下向きに突出するように湾曲されている。これにより、網かごは本体部の側壁から離間した位置において下向きに突出する。よって、網かごを通過した水が、網かごの中心側に縮流した流れをより形成しやすくなる。従って、このような流れが中心側から水面上に流下することにより、水面に浮いた状態の汚れが、側壁側により移動されやすくなる。よって、さらに多くの汚れを網かご収納部の底部に形成された汚れ捕捉部の縁部に付着させることができ、汚れ捕捉部の下流側に流出する汚れを低減して、汚れ捕捉部の下流側の本体部の壁面に汚れが残ることをより抑制できる。これにより、排水装置全体における汚れをより効率的に減少させることができる。
【００１１】
本発明において、好ましくは、上記汚れ捕捉部は、さらに、上記縁部の内側において複数の開口を形成する内側捕捉部を備え、上記水位調整部は、上記超音波洗浄水位が上記汚れ捕捉部以上の位置となるように形成される。
このように構成された本発明においては、汚れ捕捉部は、さらに、上記縁部の内側において複数の開口を形成する内側捕捉部を備えるので、水面に浮いた状態の汚れを内側捕捉部にさらに付着させることができる。よって、汚れ捕捉部が縁部のみを備えている場合に比べて、より多くの汚れを汚れ捕捉部に付着させることができ、汚れ捕捉部の下流側に流出する汚れを低減して、汚れ捕捉部の下流側の本体部の壁面に汚れが残ることをさらに抑制できる。これにより、排水装置全体における汚れをさらに効率的に減少させることができる。また、水位が汚れ捕捉部よりさらに低下する時に、水面に浮いた状態の汚れが残っていることにより、この汚れが汚れ捕捉部より下方の本体部の壁面に付着して残ることを抑制できる。さらに、本構造によれば、超音波洗浄水位が汚れ捕捉部よりも上方側に位置するので、汚れ捕捉部に付着した汚れは、次回以降に本体部内の水位が超音波洗浄水位近傍まで上昇するときに、より確実に超音波洗浄により洗浄される。よって、汚れの付着しやすい汚れ捕捉部を超音波洗浄により自動的に洗浄することができ、使用者が汚れ捕捉部を清掃する頻度及び手間を低減できる。
【００１２】
本発明において、好ましくは、上記縁部は、内側に向けて下方に傾斜する傾斜部を備え、上記水位調整部は、上記超音波洗浄水位が上記傾斜部上の位置となるように形成される。
このように構成された本発明においては、傾斜部が内側に向けて傾斜するように形成されているので、傾斜部により排水装置に流入したごみ等の汚れが縁部に滞留しにくくでき、縁部による排水性能の低下を抑制できると共に、超音波洗浄水位が傾斜部上の位置となるので、汚れを傾斜部に効果的に付着させることができる。
【００１３】
本発明において、好ましくは、上記本体部の上記封水水位の位置の内壁面に、金属部材が配置される。
このように構成された本発明においては、上記本体部の上記封水水位の位置の内壁面に、金属部材が配置されるので、超音波が反射されやすくなり、封水水位の位置の超音波洗浄性能を向上させることができる。また、内壁面に金属部材が配置されることにより、金属部材が配置された部分は樹脂部材が配置された部分に比べて油分を含む汚れが剥離されやすくできる。よって、例えば超音波洗浄水位において超音波洗浄を行う際に、最も汚れが付着し易い封水水位における超音波洗浄性能を向上できる。
【発明の効果】
【００１４】
本発明の排水装置によれば、汚れの付着しやすい封水水位近傍を超音波洗浄により洗浄することができると共に、汚れが残存してしまう範囲を使用者が簡易に清掃可能な網かご収納部内にコントロールできる。
【図面の簡単な説明】
【００１５】
【図１】本発明の第１実施形態による排水装置を備えた排水システムを正面から見た正面図である。
【図２】本発明の第１実施形態による排水装置を備えた排水システムを側面から見た側面図である。
【図３】本発明の第１実施形態による排水装置がシンクに取付けられた状態でシンクの斜め上方から見た、蓋、網かご、内側捕捉部を排水本体部から分解した状態を示す分解斜視図である。
【図４】図１のＩＶ−ＩＶ線に沿って見た断面図である。
【図５】図１のＶ−Ｖ線に沿って見た断面図である。
【図６】本発明の第１実施形態による排水装置を備えた排水システムの構造を概略的に示すブロック図である。
【図７】図４のＶＩＩ−ＶＩＩ線に沿って見た断面図である。
【図８】本発明の第１実施形態による排水装置の排水本体部の待機状態を示す部分拡大断面図である。
【図９】本発明の第１実施形態による排水装置の排水本体部に水の流入が開始された状態を示す部分拡大断面図である。
【図１０】本発明の第１実施形態による排水装置の排水本体部にさらに水が流入し、流入した水が水位調整部を介して出口流路に流出されると共に、水位調整部により封水形成部内の水位が上昇される状態を示す部分拡大断面図である。
【図１１】本発明の第１実施形態による排水装置の排水本体部にさらに水が流入し、排水本体部内の水位が超音波洗浄水位まで到達した状態を示す部分拡大断面図である。
【図１２】本発明の第１実施形態による排水装置の排水本体部への水の流入が停止し、排水本体部内の水位が徐々に低下する状態を示す部分拡大断面図である。
【図１３】本発明の第１実施形態による排水装置において一連の洗浄動作の終了後に待機状態に戻った様子を示す部分拡大断面図である。
【図１４】本発明の第１実施形態による第１変形例の排水装置の水位調整部を図７と同様の位置の断面図により示す断面図である。
【図１５】本発明の第１実施形態による第２変形例の排水装置の水位調整部を図７と同様の断面図により示す断面図である。
【図１６】本発明の第１実施形態による第３変形例の排水装置の水位調整部を図７と同様の断面図により示す断面図である。
【図１７】本発明の第１実施形態による第４変形例の排水装置の水位調整部を図７と同様の断面図により示す断面図である。
【図１８】本発明の第２実施形態による排水装置の中央断面図である。
【図１９】図１８のＸＩＸ−ＸＩＸ線に沿って見た断面図である。
【発明を実施するための形態】
【００１６】
以下では、本明細書に開示する本発明の実施の形態について、図面を用いて詳細に説明する。以下の説明から、当業者にとって、本発明の多くの改良や他の実施の形態が明らかである。従って、以下の説明は、例示としてのみ解釈されるべきであり、本発明を実行する最良の態様を当業者に教示する目的で提供されたものである。本発明の精神を逸脱することなく、その構造及び／又は機能の詳細を実質的に変更することができる。
【００１７】
以下、添付図面を参照して本発明の第１実施形態による排水装置を備えた排水システムについて説明する。
図１は本発明の第１実施形態による排水装置を備えた排水システムを正面から見た正面図であり、図２は本発明の第１実施形態による排水装置を備えた排水システムを側面から見た側面図である。
図１及び図２に示すように、本発明の第１実施形態による排水装置１を備えた排水システム２は、キッチンに設けられ、超音波洗浄を行うシステムである。。
【００１８】
排水システム２は、キッチン３に設けられた水を受ける水受け部であるシンク４と、このシンク４に水（湯水）を吐水するキッチン用水栓であるキッチン用水栓装置（吐水部）６と、キッチン３のシンク４の底部に設けられる排水装置１と、排水装置１の下流側に設けられる排水流路８とを備えている。
【００１９】
シンク４は、キッチン用水栓装置６から吐水された水を下流側に排出するように形成される。キッチン用水栓装置６は、上流側において、給水源（図示せず）から水が供給される水給水路９及び、湯が供給される湯給水路１１に接続される。キッチン用水栓装置６は、湯水混合栓６ａを備え、水給水路９からの水と、湯給水路１１からの湯とを混合し、吐水部６ｂから吐水させる。水給水路９及び湯給水路１１は、一旦上方に延び、湯水混合栓６ａに接続され、吐水側流路６ｃが湯水混合栓６ａから下方側に延び、後述する流量センサ２０を通り、吐水部６ｂまで再び上昇して延びている。
【００２０】
排水流路８は、排水装置１の下流端に接続され、鉛直方向下方に延びている。排水流路８は、さらに下流側の排水配管（図示せず）に接続される。排水流路８は、その一部が排水本体部１０によって形成されていてもよい。
【００２１】
次に、図３乃至図６を参照して、本発明の第１実施形態による排水装置について説明する。
図３は本発明の第１実施形態による排水装置がシンクに取付けられた状態でシンクの斜め上方から見た、蓋、網かご、内側捕捉部を排水本体部から分解した状態を示す分解斜視図であり、図４は図１のＩＶ−ＩＶ線に沿って見た断面図であり、図５は図１のＶ−Ｖ線に沿って見た断面図であり、図６は本発明の第１実施形態による排水装置を備えた排水システムの構造を概略的に示すブロック図である。
【００２２】
先ず、排水装置１は、シンク４の底部４ａの下流端と接続される本体部である排水本体部１０を備えている。なお、排水本体部１０には、シンク４からの流路とは別の水の供給流路が接続されていてもよい。別の水の供給流路は、別の給水源（図示せず）又は同じ給水源に接続される。排水本体部１０内に流入する水には、シンク４からの流路とは別の水の供給流路から排水本体部１０内に流入する水も含まれる。また、排水本体部１０内に流入する水には、洗剤、シャンプー、ボディーソープ、食器の汚れ、水受け部の汚れ等のいずれかを含むような水、例えば生活排水も含まれる。
【００２３】
排水本体部１０は、シンク４よりも下方側に設けられ、内側に網かごが配置される中空部である網かご収納部１２と、網かご収納部１２よりも下流側に設けられると共に封水を形成する封水形成部１４とを備えている。排水本体部１０の網かご収納部１２及び封水形成部１４は樹脂により形成されている。
以下、本発明の第１実施形態における説明において、水位調整部２６に到達する主たる水の流れ方向に対して上流側を前方側とし、上流側と反対側を後方側とし、水位調整部２６に到達する主たる水の流れ方向を前方から見て右側を右側とし、前方から見て左側を左側として説明している。
【００２４】
網かご収納部１２は、網かご１８が内側に配置できるような大きさに形成されている。網かご収納部１２は、網かご１８を内側に配置できるような中空形状を形成している。網かご収納部１２は、シンク４側に開口される入口部１２ａと、網かごが収納される中間部１２ｂと、中間部分から封水形成部１４に向けて流路径が縮小される出口部１２ｃとを備えている。
【００２５】
図５に示すように、網かご収納部１２の入口部１２ａは、四角形状に開口され、シンク４の排水口部分を形成している。入口部１２ａは、底部４ａの一部がさらに下方に窪むことにより形成されている。入口部１２ａは、封水形成部１４よりも大きな流路径を有する。入口部１２ａは、網かご１８を中間部１２ｂまで配置できるように、網かご１８の外径よりも大きい又はほぼ同じ大きさの開口部を形成している。入口部１２ａが中間部１２ｂよりも外側まで広がる比較的大きな開口部を形成していてもよい。すなわち、シンク４から入口部１２ａを介して中間部１２ｂまで階段状に開口が狭められていてもよい。網かご収納部１２の中間部１２ｂは、四角形状の筒状に形成されている。中間部１２ｂは、封水形成部１４よりも大きな流路径を有する。網かご収納部１２の出口部１２ｃは、網かご収納部１２の下端部に形成される。出口部１２ｃは、内向きの平坦部を形成している。出口部１２ｃは、封水形成部１４と接続される。出口部１２ｃは、封水形成部１４よりも大きな流路径を有し、中間部１２ｂから封水形成部１４まで流路を狭めるように形成されている。入口部１２ａ、中間部１２ｂ及び出口部１２ｃは、縦壁を形成している。網かご収納部１２は封水形成部１４よりも大きな流路径を有し、使用者が内部を視認しやすく且つ使用者が手指を入れて清掃しやすくなっている。ここで、網かご収納部１２は、網かご１８内に捕集されたごみを捨てるため使用者により網かご１８が網かご収納部１２から取り外されるように構成されている。また、網かご収納部１２は、使用者によりごみを捨てた後の網かご１８が網かご収納部１２に取り付けられるように構成されている。すなわち、網かご収納部１２は、使用者が比較的容易に手指を入れて網かご１８の取り外しや取り付け等の作業が行えるように構成される。このように、網かご収納部１２は、使用者の手指を入れやすく構成されるので、使用者の手指により網かご収納部１２内の清掃が比較的容易となるように構成されている。
【００２６】
封水形成部１４は、シンク４に吐水された水を排水するとともに、流入された水の一部を貯留させてその内部に封水水位Ｗ０で通常時の封水を形成する機能を有する。ここで「封水」とは、臭気などを遮断するために排水本体部や水受け部内に設けられる、トラップにより水が満たされた部分をいう。また「通常時の封水」とは、キッチン用水栓等の吐水部から水の吐水を行わない吐水部の不使用時（待機状態）における封水をいう。
【００２７】
図５に示すように、封水形成部１４は、封水水位Ｗ０に封水を形成するようなトラップ形状の流路を形成する。
封水形成部１４は、網かご収納部１２の出口部１２ｃに接続される接続部１４ａと、排水トラップを形成するように下流側に向けて斜め上方に上昇する上昇流路である上昇部１４ｂと、上昇部１４ｂと下降部１４ｄとの間において排水トラップの上昇部１４ｂと接続する折り返し部分である頂部１４ｃと、上昇部１４ｂの下流側に設けられ且つ頂部１４ｃから下降する下降流路である下降部１４ｄとを備えている。よって、封水形成部１４は、上昇部１４ｂから下降部１４ｄに向けて折り返すトラップ形状の流路を形成する。頂部１４ｃは封水水位Ｗ０を規定する。下降部１４ｄは、ほぼ鉛直方向下方に延び、排水流路８と接続される。封水形成部１４は、排水流路８側の流路としての排水トラップの流路を形成しており、流路の内径が小さい、流路の形状が複雑である、流路の深さが深い等の要素のいずれか又はこれらの要素の少なくとも一部の組合せ等を有することにより、網かご収納部１２に比べて使用者が手指を入れて清掃しにくくなっている。
【００２８】
排水装置１は、さらに、網かご収納部１２の入口部１２ａの上方を覆うように配置される蓋１６と、網かご収納部１２内の流路上に配置されると共に網目を有する網かご１８と、キッチン用水栓装置６から吐水される水を検知する検知部である流量センサ２０と、排水本体部１０内の水に超音波を発振する超音波発振器２２と、超音波発振器２２の作動を制御する制御装置２４と、排水本体部１０内に流入する水により、排水本体部１０内の水位が封水形成部１４内の封水水位Ｗ０から封水形成部１４内の封水水位Ｗ０より高い超音波洗浄水位Ｗ２までは上昇しやすくなるように形成されている水位調整部２６と、網かご収納部１２の底部に形成される汚れ捕捉部２８とを備えている。
【００２９】
蓋１６は、網かご１８が上方から見えにくくなるように、網かご１８の上部に取付けられている。蓋１６は、網かご収納部１２の入口部１２ａとの間に、水やごみ等の小物体が流入する孔（図示せず）を形成する。
【００３０】
網かご１８は、網かご収納部１２の中間部１２ｂの内側に配置されている。網かご１８は、その上端が入口部１２ａの内側に配置され、その上端が入口部１２ａとほぼ合致するように形成されている。よって、網かご１８は、入口部１２ａの下方側の流路全体を覆うように形成される。網かご１８は、複数の開口が形成されており、シンク４から流入した水を通過させる一方、シンク４から流入する水に含まれるごみ等の小物体を通過させずに網かご１８内に捕集するようになっている。網かご１８は、上面視で四角形状に形成されている。網かご１８は、ごみ等を補足する機能を有する任意の形状のごみ捕捉部材に変更可能である。網かご１８は、網かご１８が網かご収納部１２内に配置された状態において、下向きに突出するように湾曲されている。よって、網かご１８の底部の頂部１８ａが網かご収納部１２の壁面から離間された位置において湾曲部分の頂部として形成されている。よって、網かご１８の下部の頂部１８ａから流出する水が、網かご収納部１２の壁面と離間した空中を流下しやすくなるように網かご１８が形成されている。なお、後述する内側捕捉部３６が設けられる場合には、網かご１８の開口は、内側捕捉部３６の開口３６ａよりも小さいサイズに形成されることが好ましい。
【００３１】
流量センサ２０は、キッチン用水栓装置６の湯水混合栓６ａと吐水部６ｂとの間に設けられる。流量センサ２０は、キッチン用水栓装置６の吐水部６ｂから吐水される水の単位時間あたりの流量を検知できる。また、流量センサ２０は、単位時間あたりの流量を検知することにより、吐水部６ｂから吐水がなされることを検知できる。流量センサ２０は、制御装置２４と電気的に接続されている。
【００３２】
超音波発振器２２は、排水本体部１０の網かご収納部１２の下方に設けられている。超音波発振器２２は、排水本体部１０の底部に設けられ、上方に向けて超音波を照射するように配置されている。超音波発振器２２は、制御装置２４と電気的に接続されている。
【００３３】
制御装置２４は、ＣＰＵ及びメモリ等を内蔵し、流量センサ２０から送信される検知信号を受信する機能を有すると共にメモリに記憶された所定の制御プログラム等に基づいて超音波発振器２２の動作を制御する。制御装置２４は、超音波発振器２２による超音波の発振及び発振の停止を制御する。制御装置２４は、流量センサ２０による吐水される水の検知と連動して、超音波発振器２２による発振を開始させる超音波洗浄モードを備え、この超音波洗浄モードにより、キッチン用水栓装置６からの吐水の開始と超音波洗浄の開始とを連動させることができる。なお、変形例として、流量センサ２０が他の位置に配置されることにより排水本体部１０に流入する水が検知され、制御装置２４が、このような検知に基づいて超音波発振器２２による超音波の発振を開始する制御を行ってもよい。また、さらなる変形例として、流量センサ２０が排水本体部１０から排出される水を検知し、制御装置２４が、このような検知に基づいて超音波発振器２２による超音波の発振を開始する制御を行ってもよい。
【００３４】
次に、図３乃至図５、図７を参照して、本発明の第１実施形態による排水装置の水位調整部について説明する。
図７は図４のＶＩＩ−ＶＩＩ線に沿って見た断面図である。
水位調整部２６は、例えば排水本体部１０内に流入する水が所定流量以上である場合に、排水本体部１０内に流入する水により、排水本体部１０内の水位が封水形成部１４内の封水水位Ｗ０から封水形成部１４内の封水水位Ｗ０より高い超音波洗浄水位Ｗ２までは上昇しやすくなるように形成されている。水位調整部２６は、排水本体部１０内において入口部（入口部１２ａ）から出口部（排水流路８との接続部）まで単一の流路を形成する封水形成部１４内に配置されることにより水位を調整する。
水位調整部２６は、排水本体部１０内の水位が封水水位Ｗ０から超音波洗浄水位Ｗ２までの間にある場合における下流側への排水量が、排水本体部１０内の水位が超音波洗浄水位Ｗ２に到達した場合における下流側への排水量よりも少なくなるように形成される。水位調整部２６は、電動の電磁弁等による流路の開閉によらず、流路の構造により水位を調整する機能を有するので、使用者の操作等によらず、水の排水本体部１０内への流入に応じて自動的に水位を調整できる。
【００３５】
図７に示すように、水位調整部２６は、封水形成部１４の排水トラップの封水水位を規定する封水水位規定部である頂部１４ｃに形成されている。より具体的には、水位調整部２６は、頂部１４ｃから上方に突出するように形成されている。水位調整部２６は、封水形成部１４内の流路を狭める壁３０を備える。壁３０は、封水形成部１４内の流路の下部側を絞る絞り部を形成している。壁３０は、正面視で封水形成部１４内の流路の頂部１４ｃの底面から上方に立ち上がるように形成される。壁３０は、封水形成部１４内の流路の頂部１４ｃの底面から斜め後方上方に向けて立ち上がるように形成される。この壁３０の前面３０ａの傾斜角度は、頂部１４ｃの直前の上昇部１４ｂの底面の傾斜角度と近似、より好ましくはほぼ一致している。壁３０の後面３０ｂは下方に延びている。よって、壁３０は、前後方向の断面において三角形状に形成される。なお、壁３０は、封水形成部１４の壁面が内側に突出して流路を狭めるように形成されてもよい。例えば、壁３０は、封水形成部１４の側壁が内側に狭められるようにして流路が狭められてもよく、封水形成部１４の頂部１４ｃから上方に向けて立ち上がるように形成される壁面により流路が狭められてもよい。
【００３６】
壁３０は、水位調整部２６に到達する主たる水の流れ方向に対して左右方向に延び、さらに壁３０には、その上端３０ｃから下方に延びる切欠き３２が形成されている。この切欠き３２の左右方向の幅Ａ１は、上下方向においてほぼ一定である。切欠き３２の下部は、頂部１４ｃにより形成されている。切欠き３２は前後方向においては前面３０ａから後面３０ｂまで延びている。図７に示すように、封水形成部１４内の流路は、左右方向の横断面においてＴ字形状に形成されている。
【００３７】
通常の使用態様において吐水部６ｂから吐水される吐水量（排水本体部１０に流入する単位時間あたりの流入量）に対し、切欠き３２を通過しきれない水が、排水本体部１０内の水位を上昇させ、水位が上端３０ｃを超えた場合には、壁３０部分の上端３０ｃを超える流れを形成する。壁３０は水位が上端３０ｃ以下の高さにある場合には切欠き３２を通過する単位時間の排水量を制限すると共に、水位が上端３０ｃを超えた高さである場合には上端３０ｃを超える流れを形成する特殊な堰を形成している。切欠き３２の第１領域Ｂ１（切欠き３２により切り欠かれた領域）を通過する単位時間あたりの排水量（排水流量）は、切欠き３２の幅Ａ１と水位の高さｈ１（頂部１４ｃからの実際の水位の高さ）により決定される。また、第２領域Ｂ２を通過する単位時間あたりの排水量（排水流量）は、封水形成部１４の流路の幅Ａ２と上端３０ｃより上方の水位の高さｈ２（上端３０ｃからの実際の水位の高さ）により決定される。第２領域Ｂ２は壁３０の上端３０ｃより上方の領域である。
【００３８】
水位が上端３０ｃを超えた場合には、吐水部６ｂから吐水される吐水量（排水本体部１０に流入する単位時間あたりの流入量）に対し、切欠き３２の第１領域Ｂ１を通過しきれない水が、壁３０部分の上端３０ｃを超える流れを形成するので、水位の上昇が抑制される。
水位が上端３０ｃを超えた場合には、排水本体部１０に流入する単位時間あたりの流入量に対し、水位調整部２６により、切欠き３２の第１領域Ｂ１を通過する単位時間あたりの排水量と第２領域Ｂ２を通過する単位時間あたりの排水量との合計の第２排水量が排出される。排水本体部１０に流入する単位時間あたりの流入量と、第１領域Ｂ１を通過する単位時間あたりの排水量と第２領域Ｂ２を通過する単位時間あたりの排水量との合計の第２排水量とが同じになる場合、水位上昇がほぼ停止され、水位は超音波洗浄水位Ｗ２となる。
【００３９】
超音波洗浄水位Ｗ２は、壁３０の上端３０ｃ以上の高さ且つ封水形成部１４の頂部１４ｃの天井部１４ｅより低い高さに設定される。このように、超音波洗浄水位Ｗ２は、第１領域Ｂ１及び第２領域Ｂ２の関係により規定される。
【００４０】
水位調整部２６は超音波洗浄水位Ｗ２が網かご収納部１２内に位置するように形成される。より好ましくは、水位調整部２６は網かご収納部１２の入口部１２ａよりも下方側に位置するように形成されてもよい。また、水位調整部２６は超音波洗浄水位Ｗ２が網かご収納部１２内に配置された状態となっている網かご１８の底部よりも下方側に位置するように形成されてもよい。さらに、水位調整部２６は、超音波洗浄水位Ｗ２が汚れ捕捉部２８以上の位置となるように形成されてもよい。さらに、水位調整部２６は。超音波洗浄水位Ｗ２が後述する傾斜部３４ａ上の位置となるように形成されてもよい。また、変形例として、水位調整部２６は、壁３０とは異なる手段、例えば電動式の電磁弁、流路調整弁等により形成することができる。このとき、制御装置２４が吐水の開始を判断したことに基づいて、制御装置２４が電磁弁等を閉弁させて封水形成部１４内の水位を上昇させ、水位を超音波洗浄水位Ｗ２まで上昇させるように制御されてもよい。さらに、例えば、制御装置２４が水位が超音波洗浄水位Ｗ２まで上昇するとき水がシンク４側に逆流しないように、この電磁弁等を開閉させる等の制御を行って封水形成部１４内の水位上昇を抑制してもよい。
【００４１】
次に、図３乃至図５を参照して、本発明の第１実施形態による排水装置１の汚れ捕捉部２８について説明する。
汚れ捕捉部２８は水位が汚れ捕捉部２８上を低下する時に汚れが表面上に付着しやすくなるように形成されている。汚れ捕捉部２８は、排水本体部１０の側壁から内向きに段状に突出して延びる縁部３４と、縁部３４の内側において複数の開口３６ａを形成する内側捕捉部３６とを備える。
【００４２】
縁部３４は、四角形状の外形に形成され、内側が中空に形成され、内側に向けて下方に傾斜する傾斜部３４ａを備えている。傾斜部３４ａは内向きに下る平坦面を形成している。縁部３４は、内周端から鉛直方向下方に延びる円筒部分３４ｂをさらに備える。円筒部分３４ｂは封水水位Ｗ０よりも下方まで延びている。汚れ捕捉部２８の傾斜部３４ａ及び内側捕捉部３６は網かご収納部１２の底部を形成している。なお、網かご収納部１２の底部の全部又は一部が傾斜していなくてもよい。縁部３４は、金属部材、例えばステンレス部材である。よって、排水本体部１０の封水水位Ｗ０の位置の内壁面に、金属部材である縁部３４の円筒部分３４ｂが配置される。縁部３４は、封水水位Ｗ０の位置の超音波洗浄能力を向上させる上で、封水水位Ｗ０より下方まで延びていることが好ましいが、縁部３４は、封水水位Ｗ０より下方まで延びていなくても封水水位Ｗ０近傍まで延びていれば封水水位Ｗ０の位置の一定の超音波洗浄能力を向上させる機能を有する。また、縁部３４は、封水水位Ｗ０より下方まで延びていなくても一定の超音波洗浄能力を向上させる機能を有する。さらに、円筒部分３４ｂは、排水本体部１０の封水水位Ｗ０の位置の内壁面の全周のうちの一部に配置されていてもよい。縁部３４の外周側部分がシンク４と同様の素材により形成され、その内周側部分がステンレス部材により形成されていてもよい。
【００４３】
内側捕捉部３６は、円形の外周形状を形成している。内側捕捉部３６の外周は縁部３４の内周と接続され、縁部３４の上面と内側捕捉部３６の上面とが連続した概ね面一の上面を形成する。内側捕捉部３６は、中央部分に向かってくぼむような下り傾斜を形成している。内側捕捉部３６の開口３６ａは、中央部の周りで周状に複数形成されている。内側捕捉部３６は、例えば複数の開口３６ａを形成するように十字状の構造を形成していてもよく、また、例えばメッシュ状の構造を形成していてもよい。内側捕捉部３６は、金属部材、例えばステンレス部材である。内側捕捉部３６は、樹脂により形成されていてもよい。
【００４４】
次に、図８乃至図１３により、上述した本発明の第１実施形態による排水装置１を備えた排水システムの動作（作用）を説明する。
図８は本発明の第１実施形態による排水装置の排水本体部の待機状態を示す部分拡大断面図であり、図９は本発明の第１実施形態による排水装置の排水本体部に水の流入が開始された状態を示す部分拡大断面図であり、図１０は本発明の第１実施形態による排水装置の排水本体部にさらに水が流入し、水位調整部により封水形成部内の水位が上昇される状態を示す部分拡大断面図であり、図１１は本発明の第１実施形態による排水装置の排水本体部にさらに水が流入し、排水本体部内の水位が超音波洗浄水位まで到達した状態を示す部分拡大断面図であり、図１２は本発明の第１実施形態による排水装置の排水本体部への水の流入が停止し、排水本体部内の水位が徐々に低下する状態を示す部分拡大断面図であり、図１３は本発明の第１実施形態による排水装置において一連の洗浄動作の終了後に待機状態に戻った様子を示す部分拡大断面図である。
【００４５】
図８には、キッチン用水栓装置６から吐水がなされる前の待機状態が示されている。待機状態においては排水本体部１０内の水位は封水形成部１４の頂部１４ｃの位置における封水水位Ｗ０となっている。排水本体部１０内の水位が封水水位Ｗ０となることにより、待機状態において、排水流路８と網かご収納部１２の入口部１２ａ側と排水流路８側とが空気的に遮断され、臭気が排水流路８から入口部１２ａに上がってくることが確実に防止されている。待機状態において、キッチン用水栓装置６は止水された状態であり、超音波発振器２２も停止された状態である。
【００４６】
例えば、待機状態において、使用者が汚れＥを含むような水をシンク４に流すと、この水が排水本体部１０に流入する。例えば、図８に示すように、汚れＥが網かご１８、網かご収納部１２、封水形成部１４等に付着した状態となる。
【００４７】
図９に示すように、キッチン用水栓装置６からの吐水が行われると、矢印Ｆ１に示すように、水がシンク４の底面４ｂから底面４ｂと蓋１６との間の隙間を通って網かご収納部１２の入口部１２ａに流入する。矢印Ｆ２に示すように、入口部１２ａに流入した水は、網かご１８を通過してさらに流下する。このとき、矢印Ｆ３に示すように、網かご１８の底部の頂部１８ａが網かご収納部１２の壁面から離間された位置に位置しているので、網かご１８の下部の頂部１８ａから流出する水が、網かご収納部１２の壁面と離間した空中を流下しやすくなる。矢印Ｆ２及びＦ３に示すように、網かご１８から流下する水は、汚れ捕捉部２８の内側捕捉部３６の複数の開口３６ａを通り、封水形成部１４の接続部１４ａ内に供給される。
【００４８】
排水本体部１０内に水が流入するので、水位が封水水位Ｗ０から上昇を開始し、矢印Ｆ４に示すように、封水形成部１４の頂部１４ａを超えた水が水位調整部２６の切欠き３２を通って排水流路８側に排出される。
【００４９】
ここで、水位調整部２６の切欠き３２の第１領域Ｂ１を通過できる単位時間あたりの第１排水量（又は一定時間あたりの総排水量）を超える単位時間あたりの流入量（又は一定時間あたりの総流入量）の水が排水本体部１０内に流入する場合、水が切欠き３２から流出しきれず、排水本体部１０内の水位を自動的に上昇させる。このとき、矢印Ｆ４に示すように、水位調整部２６の切欠き３２から流出する水は、排水流路８に流出される。このように、水位を上昇させるための使用者の操作がなくとも水位が自動的に上昇する。よって、従来の排水流路に設けられた排水弁等の使用者による閉止操作を不要とし、排水本体部１０内に水が供給されることにより、水位調整部２６の構成に基づいて、排水本体部１０内の水位が超音波洗浄水位Ｗ２まで自動的に到達し、封水水位Ｗ０近傍の内壁面及び汚れ捕捉部２８等まで自動的に超音波洗浄を行うことができる。
【００５０】
水位調整部２６は、その流路の一部を絞る壁３０を備えているので、単位時間当たりの第１排水量を比較的少なくすることができ、比較的少量の水によって上昇部１４ｂ内の水位を上昇させることができる。以後、図１１まで、矢印Ｆ１に示すように、水の排水本体部１０内への流入が継続している。
【００５１】
図１０に示すように、水位調整部２６は、排水本体部１０内に流入する水により、排水本体部１０内の水位を、封水水位Ｗ０より高い上端３０ｃの高さまで比較的容易に上昇させることができる。切欠き３２を通過できる単位時間あたりの第１排水量は比較的小さい流量であるので、比較的小さい流量の水の流入によって排水本体部１０内の水位は、上端３０ｃまで上昇する。例えば、通常の使用態様で吐水部６ｂからの吐水が行われる場合、このような通常の使用態様の吐水による水の流入によって排水本体部１０内の水位は、上端３０ｃまで比較的容易に上昇する。
【００５２】
図１１に示すように、水位調整部２６は、排水本体部１０内に流入する水により、排水本体部１０内の水位を、上端３０ｃより高い超音波洗浄水位Ｗ２まで上昇させる。排水本体部１０内の水位が壁３０の上端３０ｃより高くなるとき、単位時間あたりの第２排水量が第１領域Ｂ１及び第２領域Ｂ２から下流側に排出される。すなわち、壁３０の上端３０ｃより低い高さにおいては、水が壁３０の間の切欠き３２から下流側に排出される。壁３０の上端３０ｃより高い高さにおいては、水が上端３０ｃを乗り越えるように封水形成部１４の左右方向の幅の全体から下流側に排出される。水位が上端３０ｃを超えた場合には、排水本体部１０に流入する単位時間あたりの流入量に対し、上端３０ｃに到達するまでに排出可能な単位時間あたりの第１排水量よりも単位時間当たりの第２排水量が増加するため、水位のさらなる上昇が抑えられる。例えば、通常の使用態様で吐水部６ｂからの吐水が行われる場合、このような通常の使用態様の吐水による水の流入によって排水本体部１０内の水位は、超音波洗浄水位Ｗ２までの上昇に抑えられる。通常の使用態様は、例えば２．５〜１５Ｌ／ｍｉｎである。通常の使用態様には、吐水部６ｂにより規定される最大流量の吐水（吐水開度が１００％のときの吐水）が含まれることが好ましい。すなわち、最大流量の吐水形態で吐水部６ｂからの吐水が行われたとしても排水本体部１０内の水位が水受け部に溢れ出ることを抑制できることが好ましい。例えば、最大流量の使用態様（吐水開度）で吐水部６ｂからの吐水が行われたとしても、このような最大流量の使用態様の吐水による水の流入によっても排水本体部１０内の水位は、天井部１４ｅより低い高さに抑制される。排水本体部１０内の水位が、水位調整部２６側において超音波洗浄水位Ｗ２まで上昇するとき、排水本体部１０内の水位が、網かご収納部１２側においては内側捕捉部２８から縁部へと上昇する。
【００５３】
排水本体部１０内の水位が、超音波洗浄水位Ｗ２に到達している状態で、制御装置２４は、超音波発振器２２による発振を行わせる。これにより、汚れの付着しやすい封水水位Ｗ０近傍が浸水された状態で超音波洗浄が行われることができ、汚れの付着しやすい封水水位Ｗ０近傍を使用者が手清掃しなくとも超音波洗浄により洗浄することができる。また、超音波洗浄水位Ｗ２が汚れ捕捉部２８よりも上方側に位置するので、汚れ捕捉部２８に付着した汚れは、次回以降に排水本体部１０内の水位が超音波洗浄水位Ｗ２近傍まで上昇するときに、より確実に超音波洗浄により洗浄される。制御装置２４は、超音波洗浄水位Ｗ２に到達していると想定される状態で超音波発振器２２による発振を行う。
【００５４】
排水本体部１０内の水位が超音波洗浄水位Ｗ２に到達した状態から、排水本体部１０内に水がさらに流入されても、排水本体部１０内の水位は超音波洗浄水位Ｗ２近傍に維持される。このとき、水位調整部２６からの排水は継続している。
【００５５】
超音波洗浄水位Ｗ２は、排水本体部１０内の水位調整部２６側においては水位調整部２６より上方の位置となっている。超音波洗浄水位Ｗ２は網かご収納部１２内に位置し且つ網かご収納部１２の入口部１２ａよりも下方側に位置する。これにより、水位が上昇して超音波洗浄が行われた後に水位が低下する時に、仮に超音波洗浄のみでは清掃しきれない一部の汚れが排水本体部１０内に残るとしても、例えば水面上に浮いた状態となる汚れが排水本体部１０の壁面に付着して壁面に残存してしまう範囲を抑制すると共に、このように汚れが残存してしまう範囲を使用者が簡易に清掃可能な網かご収納部１２内にコントロールできる。
【００５６】
超音波洗浄水位Ｗ２は、縁部３４が内側に向けて傾斜する傾斜部３４ａを備えており、排水本体部１０内の網かご収納部１２側においては傾斜部３４ａ上の位置となっている。傾斜部３４ａが内側に向けて傾斜するように形成されているので、排水装置１に流入したごみ等の汚れが縁部３４に滞留しにくくでき、縁部３４による排水性能の低下を抑制できると共に、超音波洗浄水位が傾斜部３４ａ上の位置となるので、汚れを傾斜部３４ａに効果的に付着させることができる。
【００５７】
超音波洗浄水位Ｗ２は、排水本体部１０内の網かご収納部１２側においては網かご収納部１２に配置された状態となっている網かご１８の底部よりも下方側に位置する。よって、網かご１８の底部が浸水しにくくなるので、網かご１８の清掃性の低下が抑制できる。
【００５８】
図１２に示すように、排水本体部１０内への水の流入が終了する場合、単位時間あたりの第２排水量が第１領域Ｂ１及び第２領域Ｂ２から下流側に排出され、排水本体部１０内の水位は、超音波洗浄水位Ｗ２から自動的に下降を開始する。よって、排水本体部１０内の網かご収納部１２側の水位は、汚れ捕捉部２８の縁部３４の傾斜部３４ａから徐々に下降する。汚れ捕捉部２８は水位が汚れ捕捉部２８の縁部３４の傾斜部３４ａの表面に沿って低下していく時に汚れが上記表面上に付着（吸着）しやすくなるように形成されている。これにより、超音波洗浄により除去しにくい少なくとも一部の汚れを、水位が汚れ捕捉部２８の表面に沿って低下する時に汚れ捕捉部２８の縁部３４の傾斜部３４ａの表面上に付着させることができる。
【００５９】
排水本体部１０内の水位が、さらに下降する場合、排水本体部１０内の網かご収納部１２側の水位は、汚れ捕捉部２８の縁部３４から内側捕捉部３６まで徐々に下降する。水位が汚れ捕捉部２８の内側捕捉部３６の表面に沿って低下していく時に、水面に浮いた状態の汚れを内側捕捉部３６にさらに付着させることができる。よって、汚れ捕捉部２８が縁部３４のみを備えている場合に比べて、より多くの汚れを汚れ捕捉部２８に付着させることができる。水面に浮いた状態の汚れは表面張力等により排水本体部１０内の内壁面側に比較的寄りやすく、内壁面側に寄った汚れが縁部３４から内側捕捉部３６まで付着される。よって、汚れ捕捉部２８の下流側に流出する汚れを低減して、汚れ捕捉部２８の下流側の排水本体部１０の壁面に汚れが残ることを抑制できる。これにより、排水装置１全体における汚れを効率的に減少させることができる。
【００６０】
図１３に示すように、排水本体部１０内の水位が封水水位Ｗ０まで低下すると、切欠き部３２からの水の流出が終了し、排水装置１は待機状態に戻る。
【００６１】
次に、図１４により、上述した本発明の第１実施形態による排水装置の水位調整部の第１変形例を説明する。本発明の第１実施形態による排水装置１の水位調整部１２６の第１変形例について、第１実施形態による排水装置１の水位調整部２６と異なる点のみを説明し、同一部分には同一符号を付して説明を省略する。本発明の第１実施形態による排水装置１の水位調整部１２６の第１変形例の動作（作用）については、第１実施形態による排水装置１の水位調整部２６の動作（作用）と同様であるので説明を省略する。
図１４は本発明の第１実施形態による第１変形例の排水装置の水位調整部を図７と同様の位置の断面図により示す断面図である。
【００６２】
第１変形例の排水装置の水位調整部の構造は本発明の第１実施形態による排水装置の水位調整部の構造と異なっている。排水装置１は、排水本体部１０内に流入する水により、排水本体部１０内の水位が封水形成部１４内の封水水位Ｗ０から封水形成部１４内の封水水位Ｗ０より高い超音波洗浄水位Ｗ２までは上昇しやすくなるように形成されている流量調整部である水位調整部１２６を備えている。
水位調整部１２６は、排水本体部１０内の水位が封水水位Ｗ０から超音波洗浄水位Ｗ２までの間にある場合における下流側への排水量が、排水本体部１０内の水位が超音波洗浄水位Ｗ２に到達した場合における下流側への排水量よりも少なくなるように形成される。
【００６３】
水位調整部１２６は、封水形成部１４内の流路を狭める壁１３０を備える。壁１３０は、封水形成部１４内の流路の下部側を絞る絞り部を形成している。壁１３０は、正面視で封水形成部１４内の流路の頂部１４ｃの底面から上方に立ち上がるように形成される。壁１３０は、封水形成部１４内の流路の頂部１４ｃの底面から斜め後方上方に向けて立ち上がるように形成される。
【００６４】
図１４に示すように、壁１３０は、水位調整部１２６に到達する主たる水の流れ方向に対して左右方向に延び、さらに壁１３０には、その上端３０ｃから下方に延びる切欠き１３２が形成されている。この切欠き１３２の左右方向の幅Ａ１は、上下方向において下方に向かうにつれて広くなる。切欠き１３２は、正面視で三角形の頂部を底辺と平行な線により切断して除いた構造、例えば台形形状の第１領域Ｂ１を形成している。切欠き１３２の下部は、頂部１４ｃにより形成されている。切欠き１３２は前後方向においては前面３０ａから後面３０ｂまで延びている。
【００６５】
通常の使用態様において吐水部６ｂから吐水される吐水量（排水本体部１０に流入する単位時間あたりの流入量）に対し、切欠き１３２を通過しきれない水が、排水本体部１０内の水位を上昇させ、水位が上端３０ｃを超えた場合には、上端３０ｃを超える流れを形成する。壁１３０は水位が上端３０ｃ以下の高さにある場合には切欠き３２を通過する単位時間の排水量を制限すると共に、水位が上端３０ｃを超えた高さである場合には上端３０ｃを超える流れを形成する特殊な堰を形成している。切欠き１３２の第１領域Ｂ１（切欠き３２により切り欠かれた領域）を通過する単位時間あたりの排水量（排水流量）は、切欠き３２の幅Ａ１と水位の高さｈ１により決定される。また、第２領域Ｂ２を通過できる単位時間あたりの排水量（排水流量）は、封水形成部１４の流路の幅Ａ２と上端３０ｃより上方の水位の高さｈ２（上端３０ｃからの実際の水位の高さ）により決定される。第２領域Ｂ２は壁３０の上端３０ｃより上方の領域である。
【００６６】
水位が上端３０ｃを超えた場合には、吐水部６ｂから吐水される吐水量（排水本体部１０に流入する単位時間あたりの流入量）に対し、切欠き１３２の第１領域Ｂ１を通過しきれない水が、壁１３０部分の上端３０ｃを超える流れを形成するので、水位の上昇が抑制される。
水位が上端３０ｃを超えた場合には、排水本体部１０に流入する単位時間あたりの流入量に対し、水位調整部１２６により、切欠き１３２の第１領域Ｂ１を通過する単位時間あたりの排水量と第２領域Ｂ２を通過する単位時間あたりの排水量との合計の第２排水量が排出される。排水本体部１０に流入する単位時間あたりの流入量と、第１領域Ｂ１を通過する単位時間あたりの排水量と第２領域Ｂ２を通過する単位時間あたりの排水量との合計の第２排水量とが同じになる場合、水位上昇がほぼ停止され、水位は超音波洗浄水位Ｗ２となる。
【００６７】
超音波洗浄水位Ｗ２は、壁１３０の上端３０ｃ以上の高さ且つ封水形成部１４の頂部１４ｃの天井部１４ｅより低い高さに設定される。このように、超音波洗浄水位Ｗ２は、第１領域Ｂ１及び第２領域Ｂ２の関係により規定される。
【００６８】
次に、図１５により、上述した本発明の第１実施形態による排水装置の水位調整部の第２変形例を説明する。本発明の第１実施形態による排水装置１の第２変形例の水位調整部２２６について、第１実施形態による排水装置１の水位調整部２６と異なる点のみを説明し、同一部分には同一符号を付して説明を省略する。本発明の第１実施形態による排水装置１の第１変形例の水位調整部２２６の動作（作用）については、第１実施形態による排水装置１の水位調整部２６の動作（作用）と同様であるので説明を省略する。
図１５は本発明の第１実施形態による第２変形例の排水装置の水位調整部を図７と同様の断面図により示す断面図である。
【００６９】
第１変形例の排水装置の水位調整部の構造は本発明の第１実施形態による排水装置の水位調整部の構造と異なっている。排水装置１は、排水本体部１０内に流入する水により、排水本体部１０内の水位が封水形成部１４内の封水水位Ｗ０から封水形成部１４内の封水水位Ｗ０より高い超音波洗浄水位Ｗ２までは上昇しやすくなるように形成されている流量調整部である水位調整部２２６を備えている。
水位調整部２２６は、排水本体部１０内の水位が封水水位Ｗ０から超音波洗浄水位Ｗ２までの間にある場合における下流側への排水量が、排水本体部１０内の水位が超音波洗浄水位Ｗ２に到達した場合における下流側への排水量よりも少なくなるように形成される。
【００７０】
水位調整部２２６は、封水形成部１４内の流路を狭める壁２３０を備える。壁２３０は、封水形成部１４内の流路の下部側を絞る絞り部を形成している。壁２３０は、正面視で封水形成部１４内の流路の頂部１４ｃの底面から上方に立ち上がるように形成される。壁２３０は、封水形成部１４内の流路の頂部１４ｃの底面から斜め後方上方に向けて立ち上がるように形成される。
【００７１】
図１５に示すように、壁２３０は、水位調整部２２６に到達する主たる水の流れ方向に対して左右方向に延び、さらに壁２３０には、その上端３０ｃから下方に延びる切欠き２３２が形成されている。この切欠き２３２の左右方向の幅Ａ１は、上下方向において下方に向かうにつれて狭くなる。切欠き２３２は、正面視で逆三角形形状の第１領域Ｂ１を形成している。切欠き２３２の下部は、頂部１４ｃにより形成されている。切欠き２３２は前後方向においては前面３０ａから後面３０ｂまで延びている。
【００７２】
通常の使用態様において吐水部６ｂから吐水される吐水量（排水本体部１０に流入する単位時間あたりの流入量）に対し、切欠き２３２を通過しきれない水が、排水本体部１０内の水位を上昇させ、水位が上端３０ｃを超えた場合には、上端３０ｃを超える流れを形成する。壁２３０は水位が上端３０ｃ以下の高さにある場合には切欠き２３２を通過する単位時間の排水量を制限すると共に、水位が上端３０ｃを超えた高さである場合には上端３０ｃを超える流れを形成する特殊な堰を形成している。切欠き２３２の第１領域Ｂ１（切欠き２３２により切り欠かれた領域）を通過する単位時間あたりの排水量（排水流量）は、切欠き２３２の幅Ａ１と水位の高さｈ１（頂部１４ｃからの実際の水位の高さ）により決定される。また、第２領域Ｂ２を通過する単位時間あたりの排水量（排水流量）は、封水形成部１４の流路の幅Ａ２と上端３０ｃより上方の水位の高さｈ２（上端３０ｃからの実際の水位の高さ）により決定される。第２領域Ｂ２は壁２３０の上端３０ｃより上方の領域である。
【００７３】
水位が上端３０ｃを超えた場合には、吐水部６ｂから吐水される吐水量（排水本体部１０に流入する単位時間あたりの流入量）に対し、切欠き２３２の第１領域Ｂ１を通過しきれない水が、壁２３０部分の上端３０ｃを超える流れを形成するので、水位の上昇が抑制される。
水位が上端３０ｃを超えた場合には、排水本体部１０に流入する単位時間あたりの流入量に対し、水位調整部２２６により、切欠き２３２の第１領域Ｂ１を通過する単位時間あたりの排水量と第２領域Ｂ２を通過する単位時間あたりの排水量との合計の第２排水量が排出される。排水本体部１０に流入する単位時間あたりの流入量と、第１領域Ｂ１を通過する単位時間あたりの排水量と第２領域Ｂ２を通過する単位時間あたりの排水量との合計の第２排水量とが同じになる場合、水位上昇がほぼ停止され、水位は超音波洗浄水位Ｗ２となる。
【００７４】
次に、図１６により、上述した本発明の第１実施形態による排水装置の水位調整部の第３変形例を説明する。本発明の第１実施形態による第３変形例の排水装置１の水位調整部３２６について、第１実施形態による排水装置１の水位調整部２６と異なる点のみを説明し、同一部分には同一符号を付して説明を省略する。本発明の第１実施形態による排水装置１の第３変形例の水位調整部３２６の動作（作用）については、第１実施形態による排水装置１の水位調整部２６の動作（作用）と同様であるので説明を省略する。
図１６は、本発明の第１実施形態による第３変形例の排水装置の水位調整部を図７と同様の断面図により示す断面図である。
【００７５】
第３変形例の排水装置の水位調整部の構造は本発明の第１実施形態による排水装置の水位調整部の構造と異なっている。排水装置１は、排水本体部１０内に流入する水により、排水本体部１０内の水位が封水形成部１４内の封水水位Ｗ０から封水形成部１４内の封水水位Ｗ０より高い超音波洗浄水位Ｗ２までは上昇しやすくなるように形成されている流量調整部である水位調整部３２６を備えている。
水位調整部３２６は、排水本体部１０内の水位が封水水位Ｗ０から超音波洗浄水位Ｗ２までの間にある場合における下流側への排水量が、排水本体部１０内の水位が超音波洗浄水位Ｗ２に到達した場合における下流側への排水量よりも少なくなるように形成される。
【００７６】
水位調整部３２６は、封水形成部１４内の流路を狭める壁３３０を備える。壁３３０は、封水形成部１４内の流路の下部側を絞る絞り部を形成している。壁３３０は、正面視で封水形成部１４内の流路の頂部１４ｃの底面から上方に立ち上がるように形成される。壁３３０は、封水形成部１４内の流路の頂部１４ｃの底面から斜め後方上方に向けて立ち上がるように形成される。
【００７７】
図１６に示すように、壁３３０は、水位調整部３２６に到達する主たる水の流れ方向に対して左右方向に延び、さらに壁３３０には、その下端から上方に延びると共に四角形状の開口を形成する切欠き３３２が形成されている。この切欠き３３２の左右方向の幅Ａ１は、上下方向においてほぼ一定となっている。切欠き３３２は、正面視で四角形形状の第１領域Ｂ１を形成している。切欠き３３２の下部は、頂部１４ｃにより形成されている。切欠き３３２は前後方向においては前面３０ａから後面３０ｂまで延びている。なお、切欠き３３２は、壁３３０中に円形、楕円形等に形成された開口であってもよい。
【００７８】
通常の使用態様において吐水部６ｂから吐水される吐水量（排水本体部１０に流入する単位時間あたりの流入量）に対し、切欠き３３２を通過しきれない水が、排水本体部１０内の水位を上昇させ、水位が上端３０ｃを超えた場合には、上端３０ｃを超える流れを形成する。壁３３０は水位が上端３０ｃ以下の高さにある場合には切欠き３３２を通過する単位時間の排水量を制限すると共に、水位が上端３０ｃを超えた高さである場合には上端３０ｃを超える流れを形成する特殊な堰を形成している。切欠き３３２の第１領域Ｂ１（切欠き３３２により切り欠かれた領域）を通過する単位時間あたりの排水量（排水流量）は、切欠き３３２の幅Ａ１と水位の高さｈ１（頂部１４ｃからの実際の水位の高さ）により決定される。また、第２領域Ｂ２を通過する単位時間あたりの排水量（排水流量）は、封水形成部１４の流路の幅Ａ２と上端３０ｃより上方の水位の高さｈ２（上端３０ｃからの実際の水位の高さ）により決定される。第２領域Ｂ２は壁３３０の上端３０ｃより上方の領域である。
【００７９】
水位が上端３０ｃを超えた場合には、吐水部６ｂから吐水される吐水量（排水本体部１０に流入する単位時間あたりの流入量）に対し、切欠き３３２の第１領域Ｂ１を通過しきれない水が、壁３３０部分の上端３０ｃを超える流れを形成するので、水位の上昇が抑制される。水位が上端３０ｃを超えた場合には、排水本体部１０に流入する単位時間あたりの流入量に対し、水位調整部３２６により、切欠き３３２の第１領域Ｂ１を通過する単位時間あたりの排水量と第２領域Ｂ２を通過する単位時間あたりの排水量との合計の第２排水量が排出される。排水本体部１０に流入する単位時間あたりの流入量と、第１領域Ｂ１を通過する単位時間あたりの排水量と第２領域Ｂ２を通過する単位時間あたりの排水量との合計の第２排水量とが同じになる場合、水位上昇がほぼ停止され、水位は超音波洗浄水位Ｗ２となる。
【００８０】
次に、図１７により、上述した本発明の第１実施形態による排水装置の水位調整部の第４変形例を説明する。本発明の第１実施形態による第４変形例の排水装置１の水位調整部４２６について、第１実施形態による排水装置１の水位調整部２６と異なる点のみを説明し、同一部分には同一符号を付して説明を省略する。本発明の第１実施形態による第４変形例の排水装置１の水位調整部４２６の動作（作用）については、第１実施形態による排水装置１の水位調整部２６の動作（作用）と同様であるので説明を省略する。
図１７は、本発明の第１実施形態による第４変形例の排水装置の水位調整部を図７と同様の断面図により示す断面図である。
【００８１】
第４変形例の排水装置の水位調整部の構造は本発明の第１実施形態による排水装置の水位調整部の構造と異なっている。排水装置１は、排水本体部１０内に流入する水により、排水本体部１０内の水位が封水形成部１４内の封水水位Ｗ０から封水形成部１４内の封水水位Ｗ０より高い超音波洗浄水位Ｗ２までは上昇しやすくなるように形成されている流量調整部である水位調整部４２６を備えている。
水位調整部４２６は、排水本体部１０内の水位が封水水位Ｗ０から超音波洗浄水位Ｗ２までの間にある場合における下流側への排水量が、排水本体部１０内の水位が超音波洗浄水位Ｗ２に到達した場合における下流側への排水量よりも少なくなるように形成される。
【００８２】
水位調整部４２６は、封水形成部１４内の流路を狭める壁４３０を備える。壁４３０は、封水形成部１４内の流路の下部側を絞る絞り部を形成している。壁４３０は、正面視で封水形成部１４内の流路の頂部１４ｃの底面から上方に立ち上がるように形成される。壁４３０は、封水形成部１４内の流路の頂部１４ｃの底面から斜め後方上方に向けて立ち上がるように形成される。
【００８３】
図１７に示すように、壁４３０は、水位調整部４２６に到達する主たる水の流れ方向に対して左右方向に延び、さらに壁４３０には、その左右側方において上下に延びる四角形状の開口を形成する切欠き４３２が形成されている。この左右両側の切欠き４３２の左右方向の幅の合計値により表される幅Ａ１は、上下方向においてほぼ一定となっている。切欠き４３２は、正面視で壁４３０の左右両側において四角形形状の第１領域の合計である第１領域Ｂ１を形成している。切欠き４３２の下部は、頂部１４ｃにより形成されている。切欠き４３２は前後方向においては前面３０ａから後面３０ｂまで延びている。
【００８４】
通常の使用態様において吐水部６ｂから吐水される吐水量（排水本体部１０に流入する単位時間あたりの流入量）に対し、切欠き４３２を通過しきれない水が、排水本体部１０内の水位を上昇させ、水位が上端３０ｃを超えた場合には、上端３０ｃを超える流れを形成する。壁４３０は水位が上端３０ｃ以下の高さにある場合には切欠き４３２を通過する単位時間の排水量を制限すると共に、水位が上端３０ｃを超えた高さである場合には上端３０ｃを超える流れを形成する特殊な堰を形成している。切欠き４３２の第１領域Ｂ１（切欠き４３２により切り欠かれた領域）を通過する単位時間あたりの排水量（排水流量）は、切欠き４３２の幅Ａ１と水位の高さｈ１（頂部１４ｃからの実際の水位の高さ）により決定される。また、第２領域Ｂ２を通過する単位時間あたりの排水量（排水流量）は、封水形成部１４の流路の幅Ａ２と上端３０ｃより上方の水位の高さｈ２（上端３０ｃからの実際の水位の高さ）により決定される。第２領域Ｂ２は壁４３０の上端３０ｃより上方の領域である。
【００８５】
水位が上端３０ｃを超えた場合には、吐水部６ｂから吐水される吐水量（排水本体部１０に流入する単位時間あたりの流入量）に対し、切欠き４３２の第１領域Ｂ１を通過しきれない水が、壁４３０部分の上端３０ｃを超える流れを形成するので、水位の上昇が抑制される。
水位が上端３０ｃを超えた場合には、排水本体部１０に流入する単位時間あたりの流入量に対し、水位調整部４２６により、切欠き４３２の第１領域Ｂ１を通過する単位時間あたりの排水量と第２領域Ｂ２を通過する単位時間あたりの排水量との合計の第２排水量が排出される。排水本体部１０に流入する単位時間あたりの流入量と、第１領域Ｂ１を通過する単位時間あたりの排水量と第２領域Ｂ２を通過する単位時間あたりの排水量との合計の第２排水量とが同じになる場合、水位上昇がほぼ停止され、水位は超音波洗浄水位Ｗ２となる。
【００８６】
本発明者は、従来のような超音波洗浄により単に排水本体部１０全体を洗浄して清掃しようとする観点とは異なり、排水本体部１０内において主に超音波洗浄により洗浄する超音波洗浄領域と、主に使用者により清掃させるため使用者の清掃を容易にしている使用者清掃領域である網かご収納部とを区分する観点（技術思想）を検討した。上述のような構成は、本発明者が、このような新たな観点（技術思想）の検討に基づいて、水位調整部２６により排水本体部１０内の水位をコントロールすることにより、超音波洗浄領域においては超音波洗浄により洗浄すると共に、超音波洗浄により除去しにくい一部の汚れが排水本体部１０内に残るとしてもこの汚れを使用者清掃領域に残し使用者の清掃を容易にさせることで、排水装置１の排水本体部１０内の汚れを効果的に減らしやすくでき且つ使用者の掃除の手間を低減させることができるという新しい知見を得たことに基づいている。
上述した本発明の第１実施形態による排水装置１によれば、水位調整部２６は、排水本体部１０内に流入する水により、排水本体部１０内の水位を、水面に浮遊する汚れが排水本体部１０内の壁面に付着して固化しやすい封水水位Ｗ０より高い超音波洗浄水位Ｗ２まで上昇させることができる。よって、汚れの付着しやすい封水水位Ｗ０近傍が浸水された状態で超音波洗浄が行われることができ、汚れの付着しやすい封水水位Ｗ０近傍を使用者が手清掃しなくとも超音波洗浄により洗浄することができる。また例えば、排水本体部１０内の封水水位Ｗ０が網かご収納部１２より下流側の使用者が清掃しにくいような位置に位置したとしても、汚れの付着しやすい封水水位Ｗ０近傍を超音波洗浄により洗浄することができ、封水水位Ｗ０近傍を清掃する頻度及び手間を低減できる。
さらに、上述のような構造によれば、水位調整部２６が排水本体部１０内に流入する水により、排水本体部１０内の水位が封水水位Ｗ０より高い超音波洗浄水位Ｗ２までは上昇しやすくなるように形成されている。このとき、水位調整部２６は超音波洗浄水位Ｗ２が網かご収納部１２内に位置し且つ網かご収納部１２の入口部よりも下方側に位置するように形成される。このように、排水本体部１０内の水位を網かご収納部１２内の位置まで上昇させる際に、水位を網かご収納部１２の最も高い部分となる入口部１２ａにまで上昇させることはせず、網かご収納部１２の入口部１２ａよりも下方側の位置に上昇をとどめている。これにより、水位が上昇して超音波洗浄が行われた後に水位が低下する時に、仮に超音波洗浄により除去しにくい一部の汚れが排水本体部１０内に残るとしても、例えば水面上に浮いた状態となる汚れが排水本体部１０壁面に付着して壁面に残存してしまう範囲を抑制すると共に、このように汚れが残存してしまう範囲を使用者が簡易に清掃可能な網かご収納部１２内にコントロールできる。
よって、本構造によれば、汚れの付着しやすい封水水位Ｗ０近傍及び使用者が簡易に清掃しにくい排水本体部１０の網かご収納部１２より下流側の部分を超音波洗浄により洗浄することができると共に、仮に超音波洗浄により除去しにくい（例えば超音波洗浄後に水に浮いた状態となる）一部の汚れが排水本体部１０内に残る場合には、汚れが排水本体部１０壁面に付着して壁面に残存してしまう範囲を抑制すると共にこのように汚れが残存してしまう範囲を使用者が簡易に清掃可能な網かご収納部１２内にコントロールできる。
【００８７】
仮に超音波洗浄水位Ｗ２が網かご１８の底部よりも上方側に位置する場合には、網かご１８の底部が浸水しやすくなり、網かご１８及び網かご１８に収集された雑芥に水面上に浮いた状態となる汚れが付着する。これにより網かご１８に収集された雑芥を網かご１８から捨てる際に、雑芥が網かご１８から離れにくくなる恐れがあり、使用者が網かご１８を清掃しにくくなる恐れがある。
これに対し、本発明の第１実施形態による排水装置１によれば、水位調整部２６は上記超音波洗浄水位Ｗ２が上記網かご収納部１２内に配置された状態となっている網かご１８の底部よりも下方側に位置するように形成される。よって、網かご１８の底部が浸水しにくくなるので、網かご１８の清掃性の低下が抑制できる。さらに、汚れの付着しやすい封水水位Ｗ０近傍及び使用者が簡易に清掃しにくい排水本体部１０の網かご収納部１２より下流側の部分を超音波洗浄により洗浄することができると共に、仮に超音波洗浄のみでは清掃しきれない一部の汚れが排水本体部１０内に残る場合には、汚れが排水本体部１０壁面に付着して壁面に残存してしまう範囲を網かご１８の底部よりも下方側の比較的狭い範囲に抑制すると共にこのように汚れが残存してしまう範囲を使用者が簡易に清掃可能な網かご収納部１２内の網かご１８の底部よりも下方側の部分にコントロールできる。
【００８８】
さらに、本発明の第１実施形態による排水装置１によれば、網かご収納部１２の底部に形成される汚れ捕捉部２８を備えており、その汚れ捕捉部２８は水位が低下する時に汚れが汚れ捕捉部２８の表面上に付着しやすくなるように形成されている。このため、超音波洗浄により除去しにくい少なくとも一部の汚れを、水位が汚れ捕捉部２８の表面に沿って低下する時に汚れ捕捉部２８の表面上に付着させることができる。よって、使用者が汚れを認識しやすく且つ使用者の手指が届きやすい網かご収納部１２の底部に形成された汚れ捕捉部２８に少なくとも一部の汚れを付着させるようにでき、使用者がより簡易に清掃できる。
また、本構造によれば、汚れ捕捉部２８が網かご収納部１２の底部に形成され、超音波洗浄水位Ｗ２より下方に位置するので、汚れ捕捉部２８に付着した汚れは、次回以降に排水本体部１０内の水位が超音波洗浄水位Ｗ２近傍まで上昇するときに、超音波洗浄により洗浄される。よって、汚れの付着しやすい汚れ捕捉部２８を超音波洗浄により自動的に洗浄することができ、使用者が汚れ捕捉部２８を清掃する頻度及び手間を低減できる。
【００８９】
さらに、本発明の第１実施形態による排水装置１によれば、汚れ捕捉部２８より上方に配置される網かご１８を通過した水は、網かご１８の中心側に縮流した流れを形成しやすい。このような流れが中心側から水面上に流下する場合、水面に浮いた状態の汚れは、側壁側に移動されやすい。また、一旦側壁側に寄った汚れは、表面張力等により側壁側に沿った状態となり、中央側に戻りにくい。本構造によれば、汚れ捕捉部２８は、上記排水本体部１０の側壁から内向きに延びる縁部３４を備えるので、側壁側に移動された水面に浮いた状態の汚れを縁部３４に付着させやすくできる。よって、汚れ捕捉部２８が縁部３４を備えているので、使用者が比較的清掃しやすい縁部に汚れを付着させることができ、水位低下時に汚れ捕捉部２８の下流側に流出する汚れを低減できる。そのため、汚れ捕捉部２８の下流側の排水本体部１０の壁面に汚れが残ることを抑制できる。これにより、排水装置１全体における汚れを効率的に減少させることができる。
【００９０】
さらに、本発明の第１実施形態による排水装置１によれば、網かご１８は、網かご１８が網かご収納部１２内に配置された状態において、その底部が下向きに突出するように湾曲されている。これにより、網かご１８は排水本体部１０の側壁から離間した位置において下向きに突出する。よって、網かご１８を通過した水が、網かご１８の中心側に縮流した流れをより形成しやすくなる。従って、このような流れが中心側から水面上に流下することにより、水面に浮いた状態の汚れが、側壁側により移動されやすくなる。よって、さらに多くの汚れを網かご収納部１２の底部に形成された汚れ捕捉部２８の縁部に付着させることができ、汚れ捕捉部２８の下流側に流出する汚れを低減して、汚れ捕捉部２８の下流側の排水本体部１０の壁面に汚れが残ることをより抑制できる。これにより、排水装置１全体における汚れをより効率的に減少させることができる。
【００９１】
さらに、本発明の第１実施形態による排水装置１によれば、汚れ捕捉部２８は、さらに、縁部３４の内側において複数の開口を形成する内側捕捉部３６を備えるので、水面に浮いた状態の汚れを内側捕捉部３６にさらに付着させることができる。よって、汚れ捕捉部２８が縁部３４のみを備えている場合に比べて、より多くの汚れを汚れ捕捉部２８に付着させることができ、汚れ捕捉部２８の下流側に流出する汚れを低減して、汚れ捕捉部２８の下流側の排水本体部１０の壁面に汚れが残ることをさらに抑制できる。これにより、排水装置１全体における汚れをさらに効率的に減少させることができる。また、水位が汚れ捕捉部２８よりさらに低下する時に、水面に浮いた状態の汚れが残っていることにより、この汚れが汚れ捕捉部２８より下方の排水本体部１０の壁面に付着して残ることを抑制できる。
さらに、本構造によれば、超音波洗浄水位Ｗ２が汚れ捕捉部２８よりも上方側に位置するので、汚れ捕捉部２８に付着した汚れは、次回以降に排水本体部１０内の水位が超音波洗浄水位Ｗ２近傍まで上昇するときに、より確実に超音波洗浄により洗浄される。よって、汚れの付着しやすい汚れ捕捉部２８を超音波洗浄により自動的に洗浄することができ、使用者が汚れ捕捉部２８を清掃する頻度及び手間を低減できる。
【００９２】
さらに、本発明の第１実施形態による排水装置１によれば、傾斜部３４ａが内側に向けて傾斜するように形成されているので、傾斜部３４ａにより排水装置１に流入したごみ等の汚れが縁部３４に滞留しにくくでき、縁部３４による排水性能の低下を抑制できると共に、超音波洗浄水位Ｗ２が傾斜部３４ａ上の位置となるので、汚れを傾斜部３４ａに効果的に付着させることができる。
【００９３】
さらに、本発明の第１実施形態による排水装置１によれば、排水本体部１０の封水水位Ｗ０の位置の内壁面に、金属部材が配置されるので、超音波が反射されやすくなり、封水水位Ｗ０の位置の超音波洗浄性能を向上させることができる。また、内壁面に金属部材が配置されることにより、金属部材が配置された部分は樹脂部材が配置された部分に比べて油分を含む汚れが剥離されやすくできる。よって、例えば超音波洗浄水位Ｗ２において超音波洗浄を行う際に、最も汚れが付着し易い封水水位Ｗ０における超音波洗浄性能を向上できる。
【００９４】
次に、図１８により、本発明の第２実施形態による排水装置を説明する。第２実施形態は、本発明による排水装置をいわゆるボトルトラップにより形成した例である。図１８は、本発明の第２実施形態による排水装置の中央断面図であり、図１９は図１８のＸＩＸ−ＸＩＸ線に沿って見た断面図である。
【００９５】
第２実施形態による排水装置５０１は、上述した第１実施形態による排水装置１と基本構造が類似しているため、本発明の第２実施形態の第１実施形態とは異なる点のみを説明し、同様な部分については図面に同じ参照符号を付して説明を省略する。本発明の第２実施形態による排水装置５０１の動作（作用）については、第１実施形態による排水システム２の動作（作用）と同様であるので説明を省略する。
【００９６】
排水本体部５１０は、シンク４の下流側に設けられ、内部に網かごが収納される網かご収納部１２と、網かご収納部１２の下流側に設けられると共に封水を形成する封水形成部５１４とを備えている。
以下、本発明の第１実施形態における説明において、水位調整部５２６に到達する主たる水の流れ方向に対して上流側を前方側とし、上流側と反対側を後方側とし、水位調整部５２６に到達する主たる水の流れ方向を前方から見て右側を右側とし、前方から見て左側を左側として説明している。
【００９７】
図１８に示すように、網かご収納部１２の入口部１２ａ及び中間部１２ｂは、封水形成部５１４よりも大きな流路径を有する。
【００９８】
封水形成部５１４は、シンク４に吐水された水を排水するとともに、流入された水の一部を貯留させてその内部に封水水位Ｗ０で通常時の封水を形成する機能を有する。
【００９９】
封水形成部５１４は、封水水位Ｗ０に封水を形成するようなトラップ形状の流路を形成する。封水形成部５１４は、網かご収納部１２の出口部１２ｃに接続される接続部５１４ａと、排水トラップを形成するように下流側に向けて斜め上方に上昇する上昇流路である上昇部５１４ｂと、上昇部５１４ｂと下降部５１４ｄとの間において折り返す折り返し部分である頂部５１４ｃと、上昇部５１４ｂの下流側に設けられ且つ頂部５１４ｃから下降する下降流路である下降部５１４ｄとを備えている。接続部５１４ａは頂部５１４ｃよりも下方側まで延びる筒状の下降流路を形成している。よって、封水形成部５１４は、下方に延びる接続部５１４ａから上昇部５１４ｂに向けて上方向きに折り返すトラップ形状の流路を形成すると共に、頂部５１４ｃが封水水位Ｗ０を規定する。このように、封水形成部５１４は、いわゆるボトルトラップを形成する。下降部５１４ｄは、ほぼ鉛直方向下方に延び、排水流路８と接続される。封水形成部５１４は、排水流路８側の流路としての排水トラップの流路を形成しており、流路の内径が小さい、流路の形状が複雑である、流路の深さが深い等の要素のいずれか又はこれらの要素の少なくとも一部の組合せ等を有することにより、網かご収納部１２に比べて使用者が手指を入れて清掃しにくくなっている。
【０１００】
排水装置５０１は、さらに、排水本体部５１０内に流入する水により、排水本体部５１０内の水位が封水形成部５１４内の封水水位Ｗ０から封水形成部５１４内の封水水位Ｗ０より高い超音波洗浄水位Ｗ２までは上昇しやすくなるように形成されている流量調整部である水位調整部５２６と、網かご収納部５１２の底部に形成される汚れ捕捉部２８とを備えている。
【０１０１】
次に、図１８乃至図１９を参照して、本発明の第１実施形態による排水装置の水位調整部について説明する。
水位調整部５２６は、例えば排水本体部５１０内に流入する水が所定流量以上である場合に、排水本体部５１０内に流入する水により、排水本体部５１０内の水位が封水形成部５１４内の封水水位Ｗ０から封水形成部５１４内の封水水位Ｗ０より高い超音波洗浄水位Ｗ２までは上昇しやすくなるように形成されている。水位調整部５２６は、排水本体部５１０内において入口部（入口部１２ａ）から出口部（排水流路８との接続部）まで単一の流路を形成する封水形成部５１４内に配置されることにより水位を調整する。水位調整部５２６は、排水本体部５１０内の水位が封水水位Ｗ０から超音波洗浄水位Ｗ２までの間にある場合における下流側への排水量が、排水本体部５１０内の水位が超音波洗浄水位Ｗ２に到達した場合における下流側への排水量よりも少なくなるように形成される。
【０１０２】
水位調整部５２６は、封水形成部５１４の排水トラップの封水水位を規定する封水水位規定部である頂部５１４ｃに形成されている。より具体的には、水位調整部５２６は、頂部５１４ｃから上方に突出するように形成されている。水位調整部５２６は、封水形成部５１４内の流路を狭める壁５３０を備える。壁５３０は、封水形成部５１４内の流路の下部側を絞る絞り部を形成している。壁５３０は、正面視で封水形成部５１４内の流路の頂部５１４ｃの底面から上方に立ち上がるように形成される。壁５３０は、封水形成部５１４内の流路の頂部５１４ｃの底面から斜め後方上方に向けて立ち上がるように形成される。壁５３０は、封水水位Ｗ０から超音波洗浄水位Ｗ２近傍まで形成されている。この壁５３０の前面５３０ａの傾斜角度は、頂部５１４ｃの直前の上昇部５１４ｂの底面の傾斜角度より大きな角度となっている。壁５３０の後面５３０ｂは下方に延びている。よって、壁５３０は、前後方向の断面において三角形状に形成される。なお、壁５３０は、前後方向の断面において三角形状以外の形状に形成されてもよい。なお、例えば、壁５３０は、封水形成部５１４の壁自体が内側に狭められるようにして形成され、頂部５１４ｃから上方に向けて立ち上がるように形成される壁５３０を形成していてもよい。
【０１０３】
図１９に示すように、壁５３０は、水位調整部５２６に到達する主たる水の流れ方向に対して左右方向に延び、さらに壁５３０には、その上端５３０ｃから下方に延びる切欠き５３２が形成されている。この切欠き５３２の左右方向の幅Ａ１は、上下方向においてほぼ一定である。切欠き５３２の下部は、頂部５１４ｃにより形成されている。切欠き５３２は前後方向においては前面５３０ａから後面５３０ｂまで延びている。
【０１０４】
通常の使用態様において吐水部６ｂから吐水される吐水量（排水本体部５１０に流入する単位時間あたりの流入量）に対し、切欠き５３２を通過しきれない水が、排水本体部５１０内の水位を上昇させ、水位が上端５３０ｃを超えた場合には、壁５３０部分の上端５３０ｃをも超える流れを形成する。壁５３０は水位が上端５３０ｃ以下の高さにある場合には切欠き５３２を通過する単位時間の排水量を制限すると共に、水位が上端５３０ｃを超えた高さである場合には上端５３０ｃを超える流れを形成する特殊な堰を形成している。切欠き５３２の第１領域Ｂ１（切欠き３２により切り欠かれた領域）を通過する単位時間あたりの排水量（排水流量）は、切欠き５３２の幅Ａ１と水位の高さｈ１（頂部１４ｃからの実際の水位の高さ）により決定される。また、第２領域Ｂ２を通過する単位時間あたりの排水量（排水流量）は、封水形成部５１４の流路の幅Ａ２と上端３０ｃより上方の水位の高さｈ２（上端３０ｃからの実際の水位の高さ）により決定される。第２領域Ｂ２は壁３０の上端３０ｃより上方の領域である。
【０１０５】
水位が上端５３０ｃを超えた場合には、吐水部６ｂから吐水される吐水量（排水本体部１０に流入する単位時間あたりの流入量）に対し、切欠き５３２の第１領域Ｂ１を通過しきれない水が、壁５３０部分の上端５３０ｃを超える流れを形成するので、水位の上昇が抑制される。
水位が上端５３０ｃを超えた場合には、排水本体部５１０に流入する単位時間あたりの流入量に対し、水位調整部５２６により、切欠き５３２の第１領域Ｂ１を通過する単位時間あたりの排水量と第２領域Ｂ２を通過する単位時間あたりの排水量との合計の第２排水量が排出される。排水本体部５１０に流入する単位時間あたりの流入量と、第１領域Ｂ１を通過する単位時間あたりの排水量と第２領域Ｂ２を通過する単位時間あたりの排水量との合計の第２排水量とが同じになる場合、水位上昇がほぼ停止され、水位は超音波洗浄水位Ｗ２となる。
【０１０６】
超音波洗浄水位Ｗ２は、壁５３０の上端５３０ｃ以上の高さ且つ封水形成部５１４の頂部５１４ｃの天井部５１４ｅより低い高さに設定される。このように、超音波洗浄水位Ｗ２は、第１領域Ｂ１及び第２領域Ｂ２の関係により規定される。
【０１０７】
水位調整部５２６は超音波洗浄水位Ｗ２が網かご収納部１２内に位置するように形成される。言い換えると、水位調整部５２６は網かご収納部１２の入口部１２ａよりも下方側に位置するように形成されてもよい。また、水位調整部５２６は超音波洗浄水位Ｗ２が網かご収納部１２内に配置された状態となっている網かご１８の底部よりも下方側に位置するように形成される。さらに、水位調整部５２６は、超音波洗浄水位Ｗ２が汚れ捕捉部２８以上の位置となるように形成されてもよい。さらに、水位調整部５２６は。超音波洗浄水位Ｗ２が傾斜部３４ａ上の位置となるように形成されてもよい。また、変形例として、水位調整部５２６は、壁５３０とは異なる手段、例えば電動式の電磁弁、流路調整弁等により形成することができる。このとき、制御装置２４が吐水の開始を判断したことに基づいて、制御装置２４が電磁弁等を閉弁させて封水形成部５１４内の水位を上昇させ、水位を超音波洗浄水位Ｗ２まで上昇させるように制御されてもよい。さらに、例えば、制御装置２４が水位が超音波洗浄水位Ｗ２まで上昇するとき水がシンク４側に逆流しないように、この電磁弁等を開閉させる等の制御を行って封水形成部５１４内の水位上昇を抑制してもよい。
【０１０８】
なお、排水装置５０１は、さらなる変形例として、いわゆるワントラップの構造に形成されていてもよい。このワントラップにおいては、排水流路８と接続され且つ上方に立ち上がる排水管路の上端に水位調整部が形成される。この排水管路及び水位調整部の上方を覆うように椀状体（キャップ）が配置され、排水管路と椀状体との間に排水トラップが形成される。例えば、水位調整部は、排水管路の上端から下方側に形成された凹形状の切欠きにより形成されている。水位調整部の凹形状の切欠きの下端により封水水位Ｗ０が規定される。
【符号の説明】
【０１０９】
１        排水装置
２        排水システム
３        キッチン
４        シンク
４ａ      底部
１２      網かご収納部
１２ａ    入口部
１４      封水形成部
１８      網かご
２２      超音波発振器
２６      水位調整部
２８      内側捕捉部
２８      捕捉部
３０      壁
３４      縁部
３４ａ    傾斜部
３６      内側捕捉部
３６ａ    開口
１２６    水位調整部
１３０    壁
１３２    切欠き
２２６    水位調整部
２３０    壁
２３２    切欠き
３２６    水位調整部
３３０    壁
３３２    切欠き
４２６    水位調整部
４３０    壁
４３２    切欠き
５０１    排水装置
５１０    排水本体部
５１２    網かご収納部
５１４    封水形成部
５２６    水位調整部
５３０    壁
５３２    切欠き
Ａ１      幅
Ａ２      幅
Ｂ１      第１領域
Ｂ２      第２領域
Ｗ０      封水水位
Ｗ２      超音波洗浄水位
【図１】
2020176480.tif 000003
【図２】
2020176480.tif 000004
【図３】
2020176480.tif 000005
【図４】
2020176480.tif 000006
【図５】
2020176480.tif 000007
【図６】
2020176480.tif 000008
【図７】
2020176480.tif 000009
【図８】
2020176480.tif 000010
【図９】
2020176480.tif 000011
【図１０】
2020176480.tif 000012
【図１１】
2020176480.tif 000013
【図１２】
2020176480.tif 000014
【図１３】
2020176480.tif 000015
【図１４】
2020176480.tif 000016
【図１５】
2020176480.tif 000017
【図１６】
2020176480.tif 000018
【図１７】
2020176480.tif 000019
【図１８】
2020176480.tif 000020
【図１９】
2020176480.tif 000021